(57)【特許請求の範囲】
【請求項１】
左・右の前車輪用レールをガイドとする左・右前車輪と、
左・右の後車輪用レールをガイドとし、前記両前車輪の左右の間隔より広い間隔の左・右後車輪と、
前記各車輪を枠体により連結し、水処理池上に設けられた架台と、
前記架台に前部が低く後部が高く傾斜して装着された太陽光発電パネルと、
前記パネルの下方に形成された前記架台の空間部とからなり、
前の前記架台の空間部に後の前記架台のパネルが挿入・離脱自在で、前・後の前記架台が前後に重ねられることを特徴とする水処理池の太陽光発電装置。
【請求項２】
左・右の前車輪用のレール及び左・右の後車輪用レールが、水処理池の左側・右側ないしは前記水処理池上に橋架された支持棧に敷設されたことを特徴とする請求項１記載の水処理池の太陽光発電装置。
【発明の詳細な説明】
【０００１】
【発明の属する技術分野】
本発明は、上下水処理場の沈殿池等水処理池において、太陽光発電パネルを用いて発電する水処理池の太陽光発電装置に関し、さらに詳しくは、水処理池及び太陽光発電パネルの保守点検の作業性を向上するようにした装置に関する。
【０００２】
【従来の技術】
従来、水処理池上に太陽光発電装置を設ける場合、水処理池の清掃等の保守点検を考慮し、太陽光発電パネルの設置間隔を広くするとともに、作業通路、作業空間を設け、或いは発電パネルを取付架台から取り外せるよう着脱式の構造にしている。
【０００３】
【発明が解決しようとする課題】
従来の前記太陽光発電パネルの設置間隔を広くとり、作業通路、作業空間を設ける場合、水処理池の面積に対し太陽光発電パネルを効率的に設置できず、希望する発電設備が得られず、かつ、太陽光発電パネルが架台に固定されているため、パネル特に下面の保守点検の作業性が悪い。
【０００４】
また、パネルを取付架台から取り外せる着脱式の構造の場合、架台の構造が複雑で設備費用が増大し、その上、パネルの脱着作業が繁雑であり、広い作業スペースを要する。
【０００５】
さらに、パネルの取付架台が、水処理池に固定されているため、水処理池の清掃等の保守点検がきわめて困難であるという問題点がある。
【０００６】
本発明は、前記の点に留意し、水処理池上に太陽光発電パネルを効率よく設置でき、水処理池及び太陽光発電パネルの保守点検を容易にし、作業性を向上する水処理池の太陽光発電装置を提供することを目的とする。
【０００７】
【課題を解決するための手段】
前記目的を達成するために、本発明の水処理池の太陽光発電装置は、左・右の前車輪用レールをガイドとする左・右前車輪と、左・右の後車輪用レールをガイドとし、前記両前車輪の左右の間隔より広い間隔の左・右後車輪と、前記各車輪を枠体により連結し、水処理池上に設けられた架台と、前記架台に前部が低く後部が高く傾斜して装着された太陽光発電パネルと、前記パネルの下方に形成された前記架台の空間部とからなり、前の前記架台の空間部に後の前記架台のパネルが挿入・離脱自在で、前・後の前記架台が前後に重ねられるものである。
【０００８】
前記のように構成された本発明の水処理池の太陽光発電装置は、水処理池上に設けられた架台が、左・右の前車輪用レール及び左・右の後車輪用レールをガイドとして前後に移動可能であり、架台に太陽光発電パネルが、前部が低く、後部が高く傾斜して装着され、そのパネルの下方に空間部が形成され、前の架台の空間部に後の架台のパネルが挿入・離脱自在で、前・後の架台が前後に重ねられるため、水処理池上に、架台に装着された太陽光発電パネルを適宜設置でき、所望の発電設備が得られ、パネルの設置状態では水処理池を覆って藻・植物等の発生を防ぎ、かつ、水処理池及びパネルの保守点検に際しては、架台をレールに沿って移動することにより、保守点検の作業が容易であり、作業性が向上する。
【０００９】
また、左・右の前車輪用レール及び左・右の後車輪用レールは、水処理池の左側・右側ないしは水処理池上に橋架された支持棧に敷設するのが望ましい。
【００１０】
この場合、各レールの敷設を、水処理池の大きさ、架台の大きさ・強度、保守点検の作業性等により、最も効率よく行うことができる。
【００１１】
【発明の実施の形態】
本発明の実施の１形態を図１ないし図４を参照して説明する。各図において、１は左右方向に長尺の架台、２は架台１の左・右の前車輪、３は両前車輪２を連結して支持した前枠体、４は架台１の左・右の後車輪であり、両前車輪２の左右の間隔より広い間隔の位置に設けられ、４個の車輪２・４は平面で逆梯形の位置になっている。５は左・右の横枠体であり、左の横枠体５は左の前車輪２と左の後車輪４とを連結し、右の横枠体５は右の前車輪２と右の後車輪４とを連結している。
【００１２】
６は左・右の後車輪４上に立設された縦枠体、７は両縦枠体６の上端部を連結した後枠体、８は左・右の斜枠体であり、左の斜枠体８は前枠体３の左端部と左の縦枠体６の上端部とを連結し、右の斜枠体８は前枠体３の右端部と右の縦枠体６の上端部とを連結している。
【００１３】
９は太陽光発電パネルであり、前端部が前枠体３に、後端部が後枠体７にそれぞれ装着され、前部が低く後部が高く傾斜している。１０はパネル９の下方に形成された架台１の空間部であり、空間部１０の後側が開口した形状になっている。
【００１４】
１１は下水処理場の汚泥沈殿池等の水処理池、１２は水処理池１１の開口部の左側・右側に前後方向に敷設された前車輪用レール、１３は両前車輪用レール１２の外側に敷設された後車輪用レールであり、両前車輪用レール１２の間隔より両後車輪用レール１３の間隔が広く、両前車輪用レール１２をガイドとして両前車輪２が、両後車輪用レール１３をガイドとして両後車輪４が、それぞれ前後に、即ち架台１が前後に移動自在であり、複数個の架台１が水処理池１１上に適度の間隔をあけて設けられている。１４は水処理池１１の中央部に左右方向に橋架された作業台である。
【００１５】
そして、水処理池１１の内部及び太陽光発電パネル９の保守点検に際しては、各架台１を各レール１２・１３に沿って前方又は後方へ移動し、図４に示すように前の架台１の空間部１０に後の架台１のパネル９を挿入し、前・後の架台１を前後に重ね、水処理池１１の前方及び後方に延設されたレール１２・１３上でパネル９の保守点検を行い、一方、上方が開口されて空になった水処理池１１の保守点検を行う。この時、作業台１４を利用するようにしてもよい。
【００１６】
つぎに、図５に示すように、水処理池１１の左右方向の幅が広く、水処理池１１の左側・右側に敷設されたレール１２・１３では、架台１の強度、作業性等により不適切な場合、水処理池１１の中央部に前後方向に支持棧１５を橋架し、支持棧１５に各レール１２・１３を敷設し、架台１を左・右に２分割するようにする。
【００１７】
なお、支持棧１５は前後方向の１個に限らず、複数個を敷設し、また、左右方向に敷設するようにしてもよい。
【００１８】
また、各枠体３・５・６・７・８は、パイプのほか、Ｌ形鋼、Ｈ鋼等適宜のものが用いられる。
【００１９】
【発明の効果】
本発明は、以上説明したように構成されているので、以下に記載されるような効果を奏する。
水処理池１１上に設けられた架台１が、左・右の前車輪用レール１２及び左・右の後車輪用レール１３をガイドとして前後に移動可能であり、架台１に太陽光発電パネル９が、前部が低く、後部が高く傾斜して装着され、そのパネル９の下方に空間部１０が形成され、前の架台１の空間部１０に後の架台１のパネル９が挿入・離脱自在で、前・後の架台１が前後に重ねられるため、水処理池１１上に、架台１に装着された太陽光発電パネルを適宜設置でき、所望の発電設備が得られ、パネル９の設置状態では水処理池１１を覆って藻・植物等の発生を防ぎ、かつ、水処理池１１及びパネル９の保守点検に際しては、架台１をレール１１、１２に沿って移動することにより、保守点検の作業が容易であり、作業性を向上することができる
【００２０】
また、左・右の前車輪用レール１２及び左・右の後車輪用レールは、水処理池１１の左側・右側ないしは水処理池１１上に橋架された支持棧１５に敷設するのが望ましく、各レール１２、１３の敷設を、水処理池１１の大きさ、架台１の大きさ・強度、保守点検の作業性等により、最も効率よく行うことができる。
【図面の簡単な説明】
【図１】本発明の実施の１形態の切断右側面図である。
【図２】図１の平面図である。
【図３】図１の架台のＡは正面図、Ｂは平面図、Ｃは右側面図である。
【図４】図１の架台を重ねた状態の切断右側面図である。
【図５】本発明の実施の他の形態の平面図である。
【符号の説明】
１  架台
２  前車輪
３  前枠体
４  後車輪
５  横枠体
６  縦枠体
７  後枠体
８  斜枠体
９  太陽光発電パネル
１０  空間部
１１  水処理池
１２  前車輪用レール
１３  後車輪用レール
１５  支持棧
【図１】
0004122712.tif 000002
【図２】
0004122712.tif 000003
【図３】
0004122712.tif 000004
【図４】
0004122712.tif 000005
【図５】
0004122712.tif 000006